【手続補正書】
【提出日】平成18年3月22日(2006.3.22)
【手続補正１】
【補正対象書類名】明細書
【補正対象項目名】特許請求の範囲
【補正方法】変更
【補正の内容】
【特許請求の範囲】
【請求項１】 ガスタービンエンジンの吸込型面シール（４０）であって、回転可能なエンジン部材（２８）及び回転不能なエンジン部材（５８）と、その間の漏れ経路（４５）と、中心線（１６）の周りにあり、前記回転不能なエンジン部材（５８）と作動的に組み合わされた環状でほぼ平坦な形状の回転不能なガスベアリング面の表面（６８）と、前記中心線（１６）の周りにあり、前記回転可能なエンジン部材（２８）と作動的に組み合わされた環状でほぼ平坦な形状の回転可能なガスベアリング面の表面（６２）と、前記漏れ経路（４５）を横切って前記ガスベアリング面の表面のうちの１つから離れるように前記ガスベアリング面の表面のうちの第２の表面の方向に軸方向に延びる半径方向内側及び外側の歯形リング（４２、４４）と、前記内側の歯形リング（４２）と前記外側の歯形リング（４４）との間に配置された環状のプレナム（６９）と、前記内側の歯形リングと前記外側の歯形リングとの間の前記ガスベアリング面の表面（６８）の一部と、を備え、前記内側及び外側の歯形リング（４２、４４）は、前記ガスベアリング面の表面のうちの前記第２の表面の近くに先のとがった端部（６６）を有し、前記内側及び外側の歯形リング（４２、４４）を前記ガスベアリング面の表面のうちの前記第２の表面から軸方向に離れるように付勢する付勢手段（８２）が設けられている、ことを特徴とする吸込型面シール（４０）。
【請求項２】 前記回転可能なエンジン部材がロータディスク（２８）上に装着されたサイドプレート（３４）であり、前記回転不能なエンジン部材（６１）が、周方向に連続的で、静止面シールの支持構造体（５２）上に軸方向に移動可能に支持された並進運動可能な円筒型ピストン（８８）上に装着されていることを特徴とする、請求項１に記載のシール（４０）。
【請求項３】 前記回転可能なエンジン部材（２８）と前記回転不能なエンジン部材（６１）との間に配設されたシールランド（８０）から半径方向に間隔をもってかつ該シールランド（８０）の近くに配置された絞り歯（７４）を有する補助シールをさらに備えることを特徴とする、請求項１に記載のシール（４０）。
【請求項４】 前記内側及び外側の歯形リング（４２、４４）の半径方向内側の前記漏れ経路（４５）を横切って配設された補助シールをさらに備え、該補助シールが、前記エンジンの中心線（１６）の周りにある環状の補助シール表面（７８）を有する環状のシールランド（８０）から半径方向に間隔をもってかつ該環状のシールランド（８０）の近くに配置された環状の絞り歯（７４）を備えることを特徴とする、請求項３に記載のシール（４０）。
【請求項５】 ガスタービンエンジンのシール組立体であって、回転可能なエンジン部材（２８）と静止エンジン部材（５８）との間の接合部（４９）における比較的高圧の領域（４８）と比較的低圧の領域（４６）との間に配設された吸込型面シール（４０）と、中心線（１６）の周りにあり、前記回転不能なエンジン部材（５８）と作動的に組み合わされた環状でほぼ平坦な形状の回転不能なガスベアリング面の表面（６８）と、前記中心線（１６）の周りにあり、前記回転可能なエンジン部材（２８）と作動的に組み合わされた環状でほぼ平坦な形状の回転可能なガスベアリング面の表面（６２）と、前記ガスベアリング面の表面（６２、６８）の間で部分的に軸方向に延びる漏れ経路（４５）と、前記漏れ経路（４５）の一部を横切って前記ガスベアリング面の表面（６２、６８）のうちの第１の表面から離れるように前記ガスベアリング面の表面（６２、６８）のうちの第２の表面の方向に軸方向に延びる半径方向内側及び外側の歯形リング（４２、４４）と、前記内側及び外側の歯形リング（４２、４４）と前記ガスベアリング面の表面（６２、６８）のうちの前記第１の表面との間に配置された環状のプレナム（６９）と、を備え、前記内側及び外側の歯形リング（４２、４４）は、前記ガスベアリング面の表面（６２、６８）のうちの前記第２の表面の近くに先のとがった端部（６６）を有し、前記内側及び外側の歯形リング（４２、４４）を前記ガスベアリング面の表面（６２、６８）のうちの前記第２の表面から軸方向に離れるように付勢する付勢手段（８２）が設けられている、ことを特徴とする組立体。
【請求項６】 前記内側及び外側の歯形リング（４２、４４）の半径方向内側の前記漏れ経路（４５）を横切って配設された補助シールをさらに備え、該補助シールが、前記エンジンの中心線（１６）の周りにある環状の補助シール表面（７８）を有する環状のシールランド（８０）から半径方向に間隔をもってかつ該環状のシールランド（８０）の近くに配置された環状の絞り歯（７４）を備えることを特徴とする、請求項５に記載の組立体。
【請求項７】 前記回転可能なエンジン部材がロータディスク（２８）上に装着されたサイドプレート（３４）であり、前記回転不能なエンジン部材（６１）が、周方向に連続的で、静止面シールの支持構造体（５２）上に軸方向移動可能に支持された並進運動可能な円筒型ピストン（８８）上に装着された面シールリング（６０）であることを特徴とする、請求項５に記載の組立体。
【請求項８】 ガスタービンエンジンのシール組立体であって、回転可能なエンジン部材（２８）と静止エンジン部材（５８）との間の接合部（４９）における比較的高圧の領域（４８）と比較的低圧の領域（４６）との間に配設された吸込型面シール（４０）と、中心線（１６）の周りにあり、前記回転不能なエンジン部材（５８）と作動的に組み合わされた環状でほぼ平坦な形状の回転不能なガスベアリング面の表面（６８）と、前記中心線（１６）の周りにあり、前記回転可能なエンジン部材（２８）と作動的に組み合わされた環状でほぼ平坦な形状の回転可能なガスベアリング面の表面（６２）と、前記ガスベアリング面の表面（６２、６８）の間で部分的に軸方向に延びる漏れ経路（４５）と、前記漏れ経路（４５）の一部を横切って前記ガスベアリング面の表面（６２、６８）のうちの第１の表面から離れるように前記ガスベアリング面の表面（６２、６８）のうちの第２の表面の方向に軸方向に延びる半径方向内側及び外側の歯形リング（４２、４４）と、前記内側及び外側の歯形リング（４２、４４）と前記ガスベアリング面の表面（６２、６８）のうちの前記第１の表面との間に配置された環状のプレナム（６９）と、を備え、前記内側及び外側の歯形リング（４２、４４）は、前記ガスベアリング面の表面（６２、６８）のうちの前記第２の表面の近くに先のとがった端部（６６）を有し、前記内側及び外側の歯形リング（４２、４４）を前記ガスベアリング面の表面（６２、６８）のうちの前記第２の表面から軸方向に離れるように付勢する付勢手段（８２）が設けられ、前記静止エンジン部材（５８）はタービンノズル（１８）から垂下し、高圧圧縮機の吐出空気（２０）の一部を高圧領域（４８）を横切る方向に向けるように作動可能なインデューサ（２９）を支持している、ことを特徴とする組立体。
【請求項９】 前記回転可能なエンジン部材がロータディスク（２８）上に装着されたサイドプレート（３４）であり、前記回転不能なエンジン部材（６１）が、周方向に連続的で、静止面シールの支持構造体（５２）上に軸方向に移動可能に支持された並進運動可能な円筒型ピストン（８８）上に装着されていることを特徴とする、請求項８に記載の組立体。
【請求項１０】 前記内側及び外側の歯形リング（４２、４４）の半径方向内側の前記漏れ経路（４５）を横切って配設された補助シールをさらに備え、該補助シールが、前記エンジンの中心線（１６）の周りにある環状の補助シール表面（７８）を有する環状のシールランド（８０）から半径方向に間隔をもってかつ該環状のシールランド（８０）の近くに配置された環状の絞り歯（７４）を備えることを特徴とする、請求項９に記載の組立体。
【手続補正２】
【補正対象書類名】明細書
【補正対象項目名】０００３
【補正方法】変更
【補正の内容】
【０００３】
従来の吸込型面シールは、典型的には、第１シール要素と第２シール要素とが向かい合って面するように構成されたロータを有し、該第１シール要素は、ロータに取り付けられるか又は該ロータの一体部分となっている。同様に、そうしたシールは典型的には、第２シール要素として構成されたステータを有し、該第２シール要素は、ステータに取り付けられるか又は該ステータの一体部分となっている。第１及び第２シール要素は一般的に環状で、ロータの縦方向軸とほぼ垂直で、全体として向かい合っており、軸方向に間隔をもって、かつ互いに近くに配置される。典型的には、第１の部分及び第２シール要素は、共に、半径方向に延びる空気ベアリング、及び該空気ベアリングの半径方向内側に位置させられた半径方向に延びる空気ダムを構成する。第１要素の空気ベアリングの表面及び第１要素の空気ダムの表面は、一般的に同じ平面内にある。第２要素の空気ベアリングの表面は、第１通路のための出口である穴を有し、この第１通路は該穴とシールの高圧側からの空気を連結するものである。ステータは、シールの高圧側からシールの低圧側へ空気ダムを通過した空気を運ぶ第２通路を有する。公知のシール設計はさらに、空気ダムの半径方向内側でステータから該空気ダムを軸方向に横切って延びる吸込歯を含み、該吸込歯は、ロータから間隔をもってかつ該ロータの近くに配置された先端部を有する。吸込型面シール技術は、「空気ベアリング」「空気ダム」及び「空気流」のような語句を用い、「空気」という語はシールの作動流体を説明するために用いられるという点に注目することは重要である。吸込型面シールの作動流体は、それに限定されるものではないが、圧縮空気、燃焼ガス、及び／又は蒸気を含むことができる。
【特許文献１】米国特許第６３２５３８０号